(57)【要約】  【課題】  優れた防水性を有する地中埋設型照明器具を提供する。  【解決手段】  灯具等を収容する本体１０に形成された開口１１の内周全周に亘って内周方向に突出するフランジ１５２を設け，このフランジ１５２上に前記開口１１を被蓋する蓋体４０を係止可能とする。  このフランジ１５２と蓋体４０間には両者間に挟持される内周側弾性シール部材５（５ａ，５ｂ）を設けると共に，この内周側弾性シール部材５（５ａ，５ｂ）に対して外周寄りの位置で開口１１の内周と蓋体４０間に挟持される外周側弾性シール部材６を設け，前記二つのシール部材５，６と前記本体１０及び蓋体４０とで囲まれた圧力室Ｐを形成する。  前記蓋体４０には，前記フランジ１５２側に押圧した状態で前記本体１０に蓋体４０を取り付けるボルト９０を設ける。  【選択図】  図６
2007059101.tif 000002
【特許請求の範囲】
【請求項１】
地中に埋設される本体と，前記本体内に収容される灯具と，前記本体の上端開口を被蓋する透光部を有する蓋体を備え，
前記上端開口の内周に係止段部を突設し，
前記上端開口の内周と前記蓋体間において，内周側弾性シール部材と，該内周側弾性シール部材に対して外周寄りの位置に外周側弾性シール部材とをそれぞれ設け，前記二つのシール部材と，前記本体及び蓋体により画定された圧力室を形成すると共に，
前記蓋体を，固定具を介して，前記係止段部側に押圧して，前記本体に取り付けたことを特徴とする地中埋設型照明器具。
【請求項２】
前記内周側弾性シール部材は，前記係止段部と前記蓋体間に，前記外周側弾性シール部材は，前記上端開口の内周と前記蓋体間に設けたことを特徴とする請求項１記載の地中埋設型照明器具。
【請求項３】
前記固定具が，前記蓋体に形成されたボルト孔を貫通して前記係止段部に形成された有底孔に螺合されるボルトであると共に，前記蓋体に形成されたボルト孔の周縁と前記ボルトの頭部間で挟持されるＯリングを設けたことを特徴とする請求項１又は２記載の地中埋設型照明器具。
【請求項４】
前記本体内に乾燥剤を封入したことを特徴とする請求項１，２又は３記載の地中埋設型照明器具。
【請求項５】
前記蓋体を，透明板により形成された透光部と，前記透明板を嵌合する金属製の枠体により構成すると共に，
嵌合状態にある前記枠体と前記透明板間の隙間に，紫外線硬化型のコーキング材を充填すると共に該コーキング材に紫外線を照射して硬化させて，前記枠体に前記透明板を固定したことを特徴とする請求項１〜４いずれか１項記載の地中埋設型照明器具。
【請求項６】
前記本体内に収容される灯具を，前記本体内の底部に対して所定間隔を介した状態で前記本体内に吊り下げ配置したことを特徴とする請求項１〜５いずれか１項記載の地中埋設型照明器具。
【請求項７】
前記本体内に，前記灯具に接続する防湿型の安定器を収容すると共に，前記防湿型安定器と前記灯具間の接続を，防水型のコネクタにより行うことを特徴とする請求項１〜６いずれか１項記載の地中埋設型照明器具。
【請求項８】
前記本体に，中心線の延長が前記開口部内にあるように引き込み線の導入口を設けたことを特徴とする請求項１〜７いずれか１項記載の地中埋設型照明器具。
【発明の詳細な説明】
【技術分野】
【０００１】
本発明は，地中埋設型照明器具に関し，より具体的には灯具などを収容する本体内部に対して水や塵芥の浸入を防止し得る構造を備えた屋外設置型の照明器具に関する。  
【背景技術】
【０００２】
地中に埋設して使用する地中埋設型の照明器具は，公園や遊歩道，庭園等の地中に埋設されて，植栽やオブジェ，その他建造物，看板，その他の照明として使用されている。
【０００３】
このように，屋外において地中に埋設して使用される地中埋設型照明器具にあっては，土や埃，その他の塵芥や，降雨や積雪等に曝された環境下において使用されることから，防塵や防水処理が充分に施されていない場合には，本体内に塵芥や水等が浸入して，内部に収容された灯具やその付属機器に故障が生じる原因となる。
【０００４】
また，本体内に水が浸入したり，また，本体内に封入されている空気の湿度が高い場合には，昼夜の温度差や，灯具の点・消灯により生じる温度差，本体内外の温度差によって結露が生じ，この結露によって生じた水滴が内部に収容した灯具や付属機器等の故障の原因となる他，透明板により形成された透光部に付着する等して透光性を損なう原因となる。
【０００５】
このような地中埋設型の照明器具においては，内部に対する水の浸入を防止するために，灯具等を収容する照明器具の本体と，これを被蓋する蓋板との接合部分に，ゴムパッキン等を介在させて，本体内に対する水の浸入を防止することが一般的に行われているものの，ゴムパッキンの経時劣化や温度変化に伴う本体内部の空気の膨張・収縮等により，完全な防水を図ることは困難である。
【０００６】
そのため，この種の地中埋設型の照明器具にあっては，本体内に対して水の浸入や結露による水滴等が生じることが不可避であることを前提とし，浸入した水から如何にして内部に収容された灯具等を保護すべきかを主眼とした開発が行われている。
【０００７】
このような構成の一例として，地中に埋設する部分を，配線用埋設箱と，この配線用埋設箱の内部に設けられランプ等を収納するボックス構造の照明装置本体から成る二重構造とし，前記照明装置本体内で発生した結露水と浸入水を集溜する水集溜部を前記照明装置本体の底部に設け，この水集溜部の水位をセンサで検知して報知するように構成したものがある（特許文献１参照）。
【０００８】
また，別の構成としては，照明器具本体の上端開口を塞ぐ，透光部である蓋体を，中央を膨出した形状とし，この膨出形状によって結露水を誘導して照明灯に直接結露水が接触することを防止したものがある（特許文献２参照）。
【０００９】
なお，地中埋設型の照明器具に関するものではないが，街路灯内に対する防水，防虫性能を向上することを目的としたものとして，図７に示すように上端グローブ１０１の外周部分に下方突出壁１０４ａを設け，下部グローブ１０２の外周上面に近接配置すると共に，前記下方突出壁１０４ａの内周側に位置して下部グローブ１０２より上方に突出する上方突出壁１０４ｂを上端グローブ１０１の底面に近接する位置迄突出形成し，両突出壁間１０４ａ，１０４ｂに毛細管現象が生じない大きさの空間部１１０を形成することで，パッキン等を使用することなく水等の浸入を意図したものがある（特許文献３参照）。
【００１０】
この発明の先行技術文献情報としては次のものがある。
【特許文献１】特開平１０−２５５５４０号公報
【特許文献２】特開２００３−６８１０１号公報
【特許文献３】特開２０００−３４８５２２号公報
【発明の開示】
【発明が解決しようとする課題】
【００１１】
以上で説明した特許文献１及び特許文献２に記載の地中埋設型の照明器具にあっては，前述のように本体内への水の浸入が不可避であることを前提とし，本体内に入った水を如何に処理するかという点を主眼に置いて成されたものであるために，前掲の特許文献１に記載の照明器具にあっては，本体部分を配線用埋設箱とこの中に配置されるボックス構造の照明装置本体とによって形成する二重構造とする必要があると共に，内部の水を集溜する水集溜部や，この水集溜部に溜まった水の量を検知するセンサを設ける等，その構造が複雑なものとなっている。
【００１２】
また，特許文献２に記載の照明器具にあっては，蓋板である透光部を中央に膨出した形状に構成するため，地中に埋設した際にこの膨出部分が地表より突出する。そのため，設置状態の見栄えが悪く，また，歩行・走行等の際の障害となる。
【００１３】
また，特許文献２に記載の発明にあっては，その他にも照明灯に対して水が接触することを防止するための構造を本体内の空間に配置しており，装置構成が複雑となることを避けられない。
【００１４】
しかし，これらの照明器具の構造を複雑化させている前述の各種の構成は，照明器具の本体内に対する水の浸入を防止することができれば不要な構成であり，これを省略することができる。
【００１５】
これに対し，特許文献３に記載の街路灯の構成にあっては，２つの突出壁１０４ａ，１０４ｂ間に毛細管現象を生じない大きさの空間１１０を形成したことにより，両突出壁１０４ａ，１０４ｂの前方，上面間の隙間から水が浸入した場合であっても，この空間部によって毛細管現象が阻止されるためにそれ以上内部に水が浸入することを防止することができるものとなっている。
【００１６】
しかし，上記構成の街路灯にあっては，毛細管現象により，低位から高位に向かって生じる水の浸入を防止することはできるが，例えば突出壁１０４ａの下端と突出壁１０４ｂ上面間に形成された隙間の周辺に多量の水が存在する場合（例えば，この部分が水没した状態にある場合）には，空間部１１０の存在によってもこれを越えて水の浸入が生じるおそれがある。
【００１７】
特に，特許文献３に記載の構成において，空間部１１０は，外部空間及び灯具等を収容する内部空間のいずれとも連通しており，空気の出入りが自由であるために，突出壁１０４ａの下端と突出壁１０４ｂ上端間の隙間の周辺に多量の水が存在する状態において内部に収容した灯具を消灯すると，内部の空気は温度が低下して収縮して周囲にある水を吸引する。
【００１８】
このように，引用文献３に記載の構成は，街路灯のように比較的高所に配置される照明器具において，表面を伝い落ちる水が毛細管現象によって浸入することを防止するという点では有効であると予測されるが，天候によっては水没ないしはそれに近い状態で使用される場合のある地中埋設型照明器具の構成としてこの特許文献３に記載の構成を採用したとしても，内部への水の浸入を防止することはできない。
【００１９】
そこで，本発明は上記従来技術における欠点を解消するためになされたものであり，比較的簡単な構造でありながら，照明器具の本体内に水が浸入することを確実に防止することができる水密構造を備えた地中埋設型照明器具を提供することを目的とする。
【００２０】
また，本発明は前記目的に加え，かりに本体内に対する水の浸入が生じた場合であっても，これによる灯具等の破損を防止することのできる構造を備えた地中埋設型照明器具を提供することを目的とする。
【課題を解決するための手段】
【００２１】
上記目的を達成するために，本発明の地中埋設型照明器具１は，地中に埋設される本体１０と，前記本体１０内に収容される灯具７０と，前記本体１０の上端開口１１を被蓋する透光部４１を有する蓋体４０を備え，
前記上端開口１１に，例えば，前記開口１１の内周全周に亘って中心方向に突出する，前記蓋体を係止する係止段部（フランジ）１５２を設け，
前記上端開口１１の内周と前記蓋体４０間において，内周側弾性シール部材５（５ａ，５ｂ）と，該内周側弾性シール部材５（５ａ，５ｂ）に対して外周寄りの位置に外周側弾性シール部材６とをそれぞれ設け，前記蓋体４０を，前記係止段部（フランジ）１５２側に押圧し，前記蓋体４０を，固定具９０を介して前記本体１０に取り付け，前記二つのシール部材５，６と，前記本体１０及び，蓋体４０により画定された圧力室Ｐの水密状態を保持することを特徴とする（請求項１）。
【００２２】
前記内周側弾性シール部材５（５ａ，５ｂ）は，前記係止段部（フランジ）１５２と前記蓋体４０間に挟持するよう設け，前記外周側弾性シール部材６は，前記上端開口１１の内周と前記蓋体４０間に挟持するよう設けることができる（請求項２）。
【００２３】
前記構成の地中埋設型照明器具１において，前記固定具９０が，前記蓋体４０に形成されたボルト孔４２１を貫通して前記係止段部１５２に形成された有底孔１５８に螺合されるボルトであると共に，前記蓋体４０に形成されたボルト孔４２１の周縁と前記ボルトの頭部間で挟持されるＯリング７を設けたものとすることができる（請求項３）。
【００２４】
さらに，前記本体１０内には乾燥剤８５を封入するものとしても良い（請求項４）。
【００２５】
前述の蓋体４０は，透明板４１により形成された透光部と，前記透明板４１を嵌合する金属製の枠体４２により構成したものとすることができ，嵌合状態にある前記枠体４２と前記透明板４１間の隙間δに，紫外線硬化型のコーキング材，例えば紫外線硬化型のシリコン樹脂を充填すると共に該コーキング材に紫外線を照射して硬化させて，前記枠体４２に前記透明板４１を固定したものを使用することができる（請求項５）。
【００２６】
さらに，前記本体１０内に収容される灯具７０を，前記本体１０内の底部（底板１２）に対して所定間隔を介した状態で前記本体１０内に吊り下げ配置するものとしても良い（請求項６）。
【００２７】
また，前記本体１０内に，前記灯具７０に接続する防湿型の安定器８０を収容すると共に，前記防湿型安定器８０と前記灯具７０間の接続を，防水型のコネクタ８２により行う構成とすることもできる（請求項７）。
【００２８】
なお，前記本体１０に形成する引き込み線の導入口１７は，その中心線Ｏの延長が前記開口１１内に位置するように設けることとすれば好適である（請求項８）。
【発明の効果】
【００２９】
以上説明した構成から，本発明の地中埋設型照明器具１は，以下に示す顕著な効果を有する。
【００３０】
（１）内周側と外周側の二つのシール部材５，６と前記本体１０及び蓋板４０とで囲まれた圧力室Ｐを形成すると共に，蓋板４０を本体１０の開口１１内に形成された係止段部（フランジ１５２）側に押圧した状態で取り付けた構成としたことにより，灯具７０等を収容する本体１０内の空間に対する水の浸入経路には，外周側弾性シール部材６，圧力室Ｐ，及び内周側シール部材５（５ａ，５ｂ）によって，複数箇所でシールされ，本体１０内の灯具等を収容する空間に対する水の浸入を完全に防止している。
【００３１】
またかりに，外周側弾性シール部材６によるシール部分を介して毛細管現象による水の浸入が生じたとしても，密封されている前述の圧力室Ｐの存在によって水は外気圧と均衡する位置より内側に入り込むことができず，この圧力室Ｐの存在によって水の浸入が阻止される。
【００３２】
この圧力室Ｐ内は，蓋体４０を係止段部であるフランジ１５２側に押圧することによって圧潰された弾性シール部材５，６間に形成された空間であるために，弾性シール部材５，６の圧潰によって圧力室Ｐも変形を受けて容積が減少し，圧力室Ｐ内の圧力は外気圧力に比較して高められている。その結果，毛細管現象によって外周側弾性シール部材６によるシール部分を介して浸入しようとする水は，圧力室Ｐ内に到達不能となっている。
【００３３】
かりに，毛細管現象によって浸入した水が何らかの原因によって圧力室Ｐ内に到達したとしても，毛細管現象を生じさせない大きさの空間として形成されている圧力室Ｐ内に浸入した水は圧力室Ｐで捕集され，圧力室Ｐを越えてさらに内部に浸入することが阻止される。
【００３４】
しかも，圧力室Ｐに対して水の浸入があると，浸入した水の体積に応じて圧力室Ｐ内の圧力が上昇することとなり，外気圧との平衡によって決まる水の浸入可能な範囲が外部側に後退し，その後の水の浸入が阻止される。
【００３５】
（２）前記固定具としてボルト９０を使用し，蓋体４０に形成したボルト孔４２１の周縁とボルト頭部間でＯリング７を挟持した構成にあっては，前記同様，このボルト９０とボルト孔４２１間の隙間を介した水の浸入をも防止することができる。
【００３６】
（３）さらに，前記本体１０内に乾燥剤８５を封入した本発明の地中埋設型照明器具１にあっては，前述した水密構造により外部からの水の浸入を防止した状態で本体１０内の空気を乾燥させることができ，例えば高湿の環境下で設置作業を行う等して，高湿の空気を本体１０内に封入した場合であっても，外気温度の変化や点・消灯による内部温度の変化に伴う結露の発生をも好適に防止することが可能である。
【００３７】
（４）前述の蓋体４０を，金属製の枠体４２にガラス板等の透明板４１を嵌合して透光部を形成する場合において，枠体４２と透明板４１間の隙間δに紫外線硬化型のシリコン樹脂等のコーキング材を充填後，硬化させる場合には，浸透性の良いこの種のコーキング剤の使用によって透明板４１と枠体４２間の隙間δを完全に埋めることができ，その結果，この部分を介して水の浸入が生じることをも好適に防止することができた。
【００３８】
しかも，紫外線の照射という比較的簡単な処理によってコーキング剤の硬化を行うことができると共に，この種のコーキング剤による枠体４２と透明板４１との固着は強固であり，透明板４１の脱落等を好適に防止することができた。
【００３９】
（５）前記本体１０内に収容される灯具７０を，前記本体１０内の底部に対して所定間隔離した状態で前記本体１０内に吊り下げ配置した構成を採用する場合には，かりに本体１０内に水が浸入し，本体１０内部に溜まったとしても，灯具７０が水に触れることを防止することができる。
【００４０】
しかも，吊り下げ配置した灯具７０は，これを揺動可能とすることが容易であり，これにより照射光の向きを任意に変更することも容易である。
【００４１】
（６）灯具７０と共に本体１０内に収容する安定器８０を防湿型のものとすることにより，本体内に水が浸入した場合であっても安定器８０の破損を防止することができた。
【００４２】
また，安定器８０と灯具７０との接続を防水型のコネクタ８２により行う構成とすることにより，水の浸入による破損や漏電等を防止することができると共に，灯具７０と安定器８０間の接続をコネクタ８２の差し込みという極めて簡単な方法で行うことが可能となり設置工事が容易である。
【００４３】
（７）中心線Ｏの延長が前記開口１１中に位置するよう前記本体１０に形成する引き込み線の導入口１７を設けることにより，この導入口１７に防水ソケット６０を取り付ける際，工具の挿入が容易であり，作業性を向上させることができた。
【発明を実施するための最良の形態】
【００４４】
次に，本発明の実施形態を以下説明する。
【００４５】
本発明の照明器具は，図１に示すように地中に埋設した状態で使用され，本体１０上端に形成された開口１１を被蓋する蓋体４０に形成された透光部４１を介して外部に光を照射する地中埋設型の照明器具であり，地中に埋設されて灯具７０やその附属品（安定器８０他）を収容する照明器具の本体１０と，この本体１０の上端開口１１を被蓋する，透光部４１を備えた蓋体４０を備えている。
【００４６】
〔本体〕
本発明の照明器具を構成する前述の本体１０は，地中に埋設した状態で使用するもので，図１に示すように内部に灯具７０及びその附属機器（安定器８０他）を収容する空間が形成されていると共に，上端に開口１１が形成されている。
【００４７】
本実施形態にあっては，この本体１０を，矩形状に形成された底板１２上に，前記底板１２の四隅部分に対応する位置を切り取った八角形の角筒部１３と，前記角筒部１３上に設けられた略裁頭円錐状の円錐部１４と，該円錐部１４上に形成された円筒部１５によって構成された形状としている（図１〜３参照）。
【００４８】
このように形成することで，本実施形態における本体１０は，上端に対し下部が幅広となる形状とし，後述するように吊り下げ式とした本実施形態で使用する灯具７０の揺動範囲を大きくして（図中２点鎖線），光の照射範囲を広範囲で設定できるようにしている。
【００４９】
もっとも，本発明の照明器具１に使用する本体１０は，前述のように，内部に灯具７０等を収容するに充分な空間が形成されていると共に，上端に開口１１が形成された形状であれば図示の実施形態に限定されることなく，各種の形状を採用することが可能である。
【００５０】
本実施形態における照明器具１の本体１０はアルミ材により製造されており，アルミ材を前述の形状に成型した後に，表面（必要に応じて内部表面を含む）に耐候性を付与するための表面処理を施している。
【００５１】
一例として，この照明器具１の本体１０は，加工の容易性を考慮してアルミ材を低圧鋳造により製造したもので，この低圧鋳造した本体１０の表面に，順に金属亜鉛処理，化成処理，塗装及び焼き付けの各処理を施し，金属亜鉛層である第１層を化学反応で強固に結び付けると共に，高耐食性化成皮膜層である第２層，セラミック系材料を使用した表面焼成層である第３層を架橋効果で強固に結び付けた「ラスパート」（商標）処理を行うことにより耐候性を付与し，かつ，低圧鋳造の際に生じた巣等を塞いで本体１０の気密性を高めている。
【００５２】
もっとも，この本体の材質及び前述した耐候性付与の処理は，既知の他の加工材料，他の加工方法を用いるものであっても良い。
【００５３】
このようにして形成された照明器具１の本体１０外周，本実施形態にあっては，前述の円錐部１４と円筒部１５の外周には，上端開口１１の周縁から円錐部１４の裾の部分に至るリブ１６を多数形成して，地中に埋設した際のコンクリートの食いつき性の向上を図っている（図２及び図３参照）。
【００５４】
また，円筒部１５の上端縁の外周を，上端に向かって徐々に径を小さくするテーパ状に形成し，この照明器具本体を地中に埋設し，モルタルで固めた後，例えばこのモルタル上に石貼り等を行う際に，このテーパー部分にモルタル充填用の隙間Ｓが形成されるようにして，埋設の際の作業性を向上させている（図１中の拡大部分参照）。
【００５５】
また，図１及び図３中の符号１７は，導入口で，照明器具の本体内に対する配線を導入する。この導入口１７は，円錐部１４に対して下方に緩やかな傾斜で，本体の外周方向に突出する突出部１８を設けると共に，この突出部１８の下端１８ａを角筒部１３より迫り出させ，この迫り出し部分の下部に，照明器具１の本体１０内外を貫通する，引き込み線の導入口１７を形成している。
【００５６】
この引き込み線の導入口１７には，図１及び図３に示すように防水ソケット６０を取り付け，この防水ソケット６０内に引き込み線６５を挿通させて，照明器具本体内への引き込み線６５の導入が行われている。
【００５７】
このように，引き込み線６５の引き込み方向を，照明器具本体１０の外部下方から内部上方に向かって行うことにより，引き込み線６５を伝って本体１０内に水が浸入することが防止されている。
【００５８】
この引き込み線６５の導入口１７は，図３に示すように導入口１７の中心線Ｏの延長線が，本体の上端開口１１を通過して本体１０外に延出する位置及び向きに形成する。
【００５９】
このような位置及び向きで導入口１７を形成することにより，この導入口１７に図３に示すように防水ソケット６０を取り付ける際，この防水ソケット６０に設けられたナット６１を，防水性を発揮するために要求される規定トルクで締め付けるための工具の挿入を上端開口１１を介して容易に行うことができ，本体の設置作業後において前記締め付け等の作業を行うことができる。
【００６０】
照明器具１の本体１０上端に形成された開口１１の内周には，図４に示すようにその上端寄りに位置して下方に傾斜する傾斜段部１５１が形成されていると共に，この傾斜段部１５１の下方において，内周方向に突出した，上面にボルトが螺合される有底孔１５８が所定間隔で形成されたフランジ１５２が設けられており，このフランジ１５２によって開口内に嵌合された蓋体を係止する係止段部が形成されている。
【００６１】
この，係止段部であるフランジ１５２の内周縁上には，上方に向かって突出する突出部１５３が形成されていると共に，フランジ１５２の内周縁の下端より更に内周方向に突出する，後述する灯具７０の支持台を係止する，支持部１５４が形成されている。
【００６２】
このフランジ１５２の内周寄りの上面から，内周面にかけては，例えばゴム等の弾性材料によって形成された弾性シール部材５ｂが，フランジの全周に亘り取り付けられている。
【００６３】
〔蓋体〕
以上のように構成された照明器具１の本体１０に形成された上端開口１１を被蓋する前述の蓋体４０は，図２に示すようにガラス板等の透明板４１によって形成された中央の透光部と，この透明板４１が嵌合される無端環状の枠体４２によって構成されており，前記枠体４２の中央に透光部を成す透明板４１を嵌合すると共に固着して形成されている。
【００６４】
この枠体は，本体１０の開口１１内に設けられたフランジ１５２の上面に設けられた有底孔１５８の形成間隔と同一の間隔にボルト孔４２１（図３）が形成されていると共に，縦方向の断面において図５に示すようにその下端を内周方向に突出させることにより形成した支持段部４３を有する共に，この支持段部４３の上方位置における内周面に略矩形状の切り込み４４を設け，後述するコーキング材がこの部分に充填して，嵌合された透明板４１を強固に固定することができるように構成している。
【００６５】
なお，内周縁の上端は，中央方向に向かって下方に傾斜した傾斜部４５が形成されており，この傾斜部４５の存在によりコーキング材を透明板４１と枠体４２間の隙間δに注入し易いものとしている。
【００６６】
また，枠体４２の外周面は，上端より所定の位置下方において本体中心方向に径を暫減する係合段部４６が形成されており，この係合段部４６が，後述する外周側弾性シール部材６を介して前述した照明器具１本体１０の開口１１内に形成した傾斜段部１５１に係止可能に構成されている。
【００６７】
以上のように構成された枠体４２には，前述の支持段部４３の上面，内周面及び下面を包囲する弾性シール部材５ａと，前記係合段部４６から下端縁に至る位置を囲む弾性シール部材（外周側弾性シール部材）を円周方向に連続して取り付ける。
【００６８】
この外周側弾性シール部材６は，図５に示すように，前記枠体４２の外周下部及び傾斜段部１５１に対応する略く字状をなし，水密効果を高めるため，傾斜段部１５１側の側面に環状の溝条１５５，１５５が形成され，上端屈曲部を枠体４２の外周面円周方向に形成した溝４２２内に，その一部が嵌合するようにして取り付けることが好ましく，これにより外周側シール部材６の位置決めが容易であると共に位置ずれを防止することができる。
【００６９】
この枠体４２の中央に形成された開口には，枠体４２の内径に対して僅かに小径に形成された透明板４１，本実施形態にあってはガラス板が嵌合される。このようにして枠体４２に嵌合された透明板４１の底面における外縁は，弾性シール部材５ａを介して支持段部４３上に載置され，この状態において枠体４２内周と透明板４１の外周間に形成された隙間δにコーキング材を注入して，枠体４２と透明板４１との固着が行われている。
【００７０】
本実施形態にあっては，このコーキング材として浸透性の高い紫外線硬化型のシリコン樹脂を使用し，このシリコン樹脂を前述の隙間δに注入後，紫外線を照射して硬化することで，透明板４１と枠体４２間の隙間を完全に充填すると共に，透明板４１と枠体４２間を取り外し不能に固着している。
【００７１】
なお，図示の実施形態にあっては，破損や，破損した際の飛散防止を考慮して前述の透明板４１として二重ガラスを使用しているが，この透明板４１は図示の実施形態に示すように必ずしも二重ガラスとする必要はなく，また，ガラス以外の透明板，例えばアクリル板等をこのガラス板に代えて使用しても良い。
【００７２】
〔上端開口部の水密構造〕
以上のように形成された照明器具１の本体１０上端に形成された開口１１に，枠体４２に透明板４１を嵌合・固着することによって形成した蓋体４０を嵌合する。
【００７３】
本体１０の開口１１内に蓋体４０を嵌合した状態にあっては，図６に示すように，開口１１内に形成された傾斜段部１５１に，枠体４２の外周に形成された係合段部４６が外周側弾性シール部材６を介して係合されていると共に，枠体４２の係止段部４３の底面部分が本体のフランジ上に内周側弾性シール部材５（弾性シール部材５ａ及び５ｂ）を介して載置される。
【００７４】
従って，開口１１と蓋体４０間は，内周側弾性シール部材５（弾性シール部材５ａ及び５ｂ）と外周側弾性シール部材６とによって，二重のシールが成されていると共に，内周側・外周側シール部材５，６間でフランジ１５２と枠体４２間に空間（圧力室Ｐ）が形成される。
【００７５】
そして，この状態において蓋体４０が本体１０のフランジ１５２側に押圧されるように固定具９０によって固定することで，本体１０に対する蓋体４０の取り付けが完了する。
【００７６】
本実施形態にあっては，この固定具としてボルト９０を使用し，本体１０の開口１１内に形成されたフランジ１５２の上面に設けられた有底孔１５８と，蓋体４０の枠体４２に形成されたボルト孔４２１を位置合わせして，ボルト孔４２１を貫通したボルト９０の先端部を有底孔１５８に挿入・螺合することにより，蓋体４０の取り付けを行っている。
【００７７】
この固定具であるボルト９０には，図６に示すように断面下向きコ字状に形成された座金９１と，この座金９１内に収容されたＯリング７が外嵌されており，このボルト９０を前記ボルト孔４２１に挿入すると共に有底孔１５８に螺合することで，このＯリング７が枠体４２に形成されたボルト孔４２１の上端開口縁とボルト９０外周に圧接されてボルト孔４２１を介した水の浸入が防止されている。
【００７８】
以上のようにして照明器具１の本体１０に形成された開口１１に，蓋体４０を嵌合，固着した状態において，蓋体４０の枠体４２下面と，本体１０の開口１１に形成されたフランジ１５２上面間には，両者間に存在する内周側弾性シール部材５（５ａ，５ｂ）の厚みによって画定される空間である圧力室Ｐが形成されている。
【００７９】
この圧力室Ｐは，その内周側において内周側弾性シール部材５により，灯具７０等を収容する本体内の空間が遮断されていると共に，傾斜段部１５１と係合段部４６間に配置された外周側弾性シール部材６，及び前記ボルト９０に外嵌されたＯリング７によって，外部空間より遮断された独立した空間を成す。
【００８０】
このように，灯具７０等を収容する本体１０内の空間に対する水の浸入経路には，この水の浸入が蓋体４０と本体１０の開口１１内周間の隙間より生じる場合には，外周側弾性シール部材６，圧力室Ｐ，及び内周側シール部材５（５ａ，５ｂ）によって，
また，水の浸入がボルト孔４２１を介して生じる場合には，Ｏリング７，圧力室Ｐ及び内周側弾性シール部材５（５ａ，５ｂ）によって，いずれの場合にも水の浸入経路に対して複数のシール部材が存在すると共に，シール部材間に圧力室が存在することによって，本体内の灯具等を収容する空間に対する水の浸入を完全に防止している。なお，内周側弾性シール部材５ａの底面には，外周側弾性シール部材６の溝条１５５と同じく溝条５５が環状に形成され，固定具９０による蓋体４０の押圧に対して，弾性シール部材５ｂの表面に圧着すると共に，密着性が増大する。
【００８１】
かりに，前述のＯリング７や外周側弾性シール部材６によるシール部分を介して毛細管現象による水の浸入が生じたとしても，前述の圧力室Ｐの存在によって水は外気圧と均衡する位置より内側に入り込むことができず，Ｏリング７や外周側弾性シール部材６に経年劣化等が生じた場合であっても水の浸入が阻止される。
【００８２】
この圧力室Ｐ内は，前記ボルト９０の締め付けによって固定された蓋体４０により圧潰された弾性シール部材５，６間に形成される空間であるために，弾性シール部材５，６の圧潰によって圧力室Ｐも変形を受けて容積が減少しており，その結果，圧力室Ｐ内の圧力は外気圧力に対して高められている。その結果，毛細管現象によってＯリング７や外周側弾性シール部材６によるシール部分を介して浸入しようとする水は，圧力室Ｐ内に到達することはできない。
【００８３】
かりに，毛細管現象によって浸入した水が何らかの原因によって圧力室Ｐ内に到達することができたとしても，毛細管現象を生じさせない大きさの空間として形成されている圧力室Ｐ内に浸入した水はこの部分において捕捉され，圧力室Ｐを越えてさらに内部に浸入することが阻止される。
【００８４】
しかも，圧力室Ｐに対して水の浸入があると，浸入した水の体積に応じて圧力室Ｐ内の圧力が上昇することとなり，外気圧との平衡によって決まる水の浸入可能な範囲が外部側に後退し，その後の水の浸入が阻止される。
【００８５】
このように，重畳的な浸水防止の作用によって，本体１０内の灯具７０等を収容する空間に対する水の浸入は確実に防止されており，その結果，灯具７０やその附属品等の構成器具が水に濡れて破損し，また漏電する等の危険性を回避することができると共に，照明器具本体内の結露を防止して，透光部が曇る等の弊害を確実に防止することができる。
【００８６】
〔その他の構成〕
以上説明したように，本発明の地中埋設型照明器具１にあっては，前述の水密構造によって，上端開口１１を介して照明器具１の本体１０内への浸水が防止されているが，本発明の地中埋設型照明器具１にあっては，以下に示すその他の構成の採用によって，かりに本体１０内に水が浸入することがあったとしても，これにより灯具７０やその附属機器等が破損したり，又は漏電等の弊害が生じることが有効に防止されている。
【００８７】
このような対策の一つとして，本実施形態の地中埋設型照明器具１にあっては，本体１０内に収容される灯具７０を，図１に示すように本体１０内に吊り下げ状態に配置する構造とし，これにより，かりに本体１０内に水の浸入が生じた場合であっても，灯具７０が本体１０内の空間に溜まった水に触れることがないようにしている。
【００８８】
図示の実施形態にあっては，照明器具本体１０の上端開口内に形成されたフランジ１５２内に挿入可能な径を有する略逆裁頭円錐状の支持台７１に，外周方向に突出する鍔部７２を設け，この支持台７１を前記フランジ１５２の開口内に挿入すると前記鍔部７２がフランジ１５２に形成された支持部１５４に係止されるように構成すると共に（図１中の拡大部分参照），この支持台７１に下方に向かって突出する一組の取付片７３を設け，この取付片７３にそれぞれ支持アーム７４の一端を回動可能に取り付け，この支持アーム７４間に灯具７０を配置・固定することで，灯具７０を照明器具１の本体１０内に吊り下げ配置している。
【００８９】
従って，前記支持台７１をフランジ１５２内で回転させ，また，前記支持アーム７４と共に灯具７０を揺動させることにより，灯具７０より照射された光の照射方向を任意に変更可能としている。なお，図１中８６はルーバーで，望まない方向に対する光の漏れをカットする。
【００９０】
また，図１中の符号８５は乾燥剤で，前述のように防水・防塵処理がされた照明器具１の本体１０内で水分を吸着し，内部の空気を乾燥させるために収納したものである。
【００９１】
この乾燥剤８５を収容したことにより，本体１０内に多少の水が浸入した場合であっても本体１０内の空間を乾燥させることができ，また，高湿度の環境下で本発明の照明器具１を設置するなどして本体１０内に高湿度の空気を封じ込めた場合であっても，この空気を乾燥させることができ，その結果，気温変化等によって本体内空間の空気が冷却される等した場合であっても，本体１０内で結露が生じることを防止できる。
【００９２】
この乾燥剤８５としては，照明器具１の本体１０内に形成された所定の大きさの空間を乾燥させることができるものであれば既知の如何なる乾燥剤を使用しても良いが，本実施形態にあっては一例として，薬剤等の防湿に使用されるアルミナシリカゲル系の乾燥剤（吸着剤）である，「セカード」（商標）を使用して本体１０内の空気を乾燥させており，条件にもよるが，本実施形態では本体内の雰囲気が湿度９０％であった場合においてこれを湿度１０％程度まで乾燥し得る程度の乾燥剤を封入している。
【００９３】
さらに，灯具７０と安定器８０とを接続する配線を，防水型のコネクタ８２によって接続し，配線処理を容易とすると共に，水の浸入によっても漏電等が生じないよう構成している。
【００９４】
また，前記安定器８０自体を防湿型のものとすることで，万が一に本体内の空間に水が浸入した場合であっても，安定器に故障等が生じないような構成を採用している。
【産業上の利用可能性】
【００９５】
以上説明した本発明の地中埋設型照明器具は，前述のように公園や遊歩道，庭園等の地中に埋設して，植栽やオブジェ，建築物，看板等を照らす照明器具として使用することができる。但し，その用途は上記のものに限定されるものではなく，屋外において地中に埋設して使用する各種の照明用として使用可能である。
【図面の簡単な説明】
【００９６】
【図１】地中埋設型照明器具の断面正面図。
【図２】地中埋設型照明器具の平面図。
【図３】導入口の形成位置を示す説明図。
【図４】照明器具本体の円筒部の拡大断面図。
【図５】蓋体の枠体部分の拡大断面図。
【図６】水密構造部分の部分拡大図。
【図７】従来の水密構造（特許文献３）を示す概略説明図。
【符号の説明】
【００９７】
１  （地中埋設型）照明器具
５  内周側弾性シール部材
５ａ，５ｂ  弾性シール部材
６  外周側弾性シール部材
７  Ｏリング
１０  本体（照明器具本体）
１１  開口
１２  底板
１３  角筒部
１４  円錐部
１５  円筒部
１５１  傾斜段部
１５２  フランジ（係止段部）
１５３  突出部
１５４  支持部
１５５  溝条
１５８  有底孔（螺子孔）
１６  リブ
１７  導入口
１８  突出部
１８ａ  下端（突出部１８の）
４０  蓋体
４１  透光部（透明板，ガラス板）
４２  枠体
４２１  ボルト孔
４２２  溝
４３  支持段部
４４  切り込み
４５  傾斜部
４６  係合段部
５５  溝条
６０  防水ソケット
６１  ナット
６５  引き込み線
７０  灯具
７１  支持台
７２  鍔部
７３  取付片
７４  支持アーム
８０  （防湿型）安定器
８２  防水型コネクタ
８５  乾燥剤
８６  ルーバー
９０  固定具（ボルト）
９１  座金
Ｓ  モルタル充填用の隙間
δ  透明板−枠体間の隙間
Ｐ  圧力室
Ｏ  中心線（導入口１７の）
【図１】
2007059101.tif 000003
【図２】
2007059101.tif 000004
【図３】
2007059101.tif 000005
【図４】
2007059101.tif 000006
【図５】
2007059101.tif 000007
【図６】
2007059101.tif 000008
【図７】
2007059101.tif 000009